(57)【要約】【課題】本発明は、例えば、安全タラップ付点検口に関し、吊り天井の点検口の人の出入りの、安全性を確保することが課題である。【解決手段】天井裏に出入りするための点検口において、前記天井裏に設けられた回転自在な梯子用ドラム２に巻き取られる梯子３と、該梯子を天井裏から室内４に降下させるための開口部５と、前記梯子用ドラムを回動させるもので、該梯子用ドラムと室内に配設された巻上げドラム６とに亘って配設されその端部が繋着された索条７でなる巻上げ手段８とを設けて成る安全タラップ付点検口１とする。【選択図】    図１
2004197513.tif 000002
【特許請求の範囲】
【請求項１】
天井裏に出入りするための点検口において、
前記天井裏に設けられた回転自在な梯子用ドラムに巻き取られる梯子と、
該梯子を天井裏から室内に降下させるための開口部と、
前記梯子用ドラムを回動させるもので、該梯子用ドラムと室内に配設された巻上げドラムとに亘って配設されその端部が繋着された索条でなる巻上げ手段と、を設けて成ること、
を特徴とする安全タラップ付点検口。
【請求項２】
梯子の下端部には、開口部を閉蓋する重石兼用の蓋部材が取り付けられていること、
を特徴とする請求項１に記載の安全タラップ付点検口。
【請求項３】
筒状の可撓性シートの内部にステップバーを筒軸心方向へ所要間隔毎に設けた伸縮自在な安全シュートと、該安全シュートを収納するため点検口の天井裏側に設けられた収納箱と、前記安全シュートを天井裏に巻き上げる巻取り装置と、該巻取り装置を駆動・停止させる信号を有線若しくは無線で伝達する室内側に設けられたスイッチと、を設けて成ること、
を特徴とする安全タラップ付点検口。
【請求項４】
安全シュートの下部には重石兼用の蓋部材が設けられ、且つ、下部の側面に出入り口が設けられていること、
を特徴とする請求項３に記載の安全タラップ付点検口。
【発明の詳細な説明】
【０００１】
【発明の属する技術分野】
本発明は、安全タラップ付点検口に係り、詳しくは、吊り天井の点検口の人の出入りを安全に行うための安全タラップ付点検口に関する。
【０００２】
【従来の技術】
従来において、上階のスラブに吊り下げられた天井１１には、天井裏１２の点検等の作業の為に、大きさが約６００×６００ｍｍ程度の開閉自在な点検口１３が設けられている。
【０００３】
その点検口１３に作業者が出入りするため、通常、壁の近傍に点検口がない場合には、脚立１４若しくは梯子等を利用して、図６に示すように、その脚立若しくは梯子に登って、出入りしているのが知られている（例えば、特許文献１参照。）。
【０００４】
【特許文献１】
特開平１０−１１７４１０号公報（第１頁〜第３頁、第４図）
【０００５】
【発明が解決しようとする課題】
しかしながら、脚立１４に作業者１５が登って、点検口１３に出入りするには、天井高が床面１６から３〜４ｍと高い場合には危険である。脚立１４の上部に登って点検口蓋１３ａの開閉作業するには不自然な姿勢になり、特に、作業者１５が天井裏１２から降りる場合には、脚を脚立１４の最上段に載せることが非常に困難である。そして、狭い面積の脚立上面に立つのは脚立１４が揺れる等して、恐怖感を作業者１５に与えるものである。本発明に係る安全タラップ付点検口は、このような課題を解決するために提案されたものである。
【０００６】
【課題を解決するための手段】
上記課題を解決するために、本発明に係る安全タラップ付点検口の要旨は、天井裏に出入りするための点検口において、前記天井裏に設けられた回転自在な梯子用ドラムに巻き取られる梯子と、該梯子を天井裏から室内に降下させるための開口部と、前記梯子用ドラムを回動させるもので、該梯子用ドラムと室内に配設された巻上げドラムとに亘って配設されその端部が繋着された索条でなる巻上げ手段と、を設けて成ることである。
また、前記梯子の下端部には、開口部を閉蓋する重石兼用の蓋部材が取り付けられていることを含むものである。
【０００７】
本発明に係る安全タラップ付点検口の要旨は、筒状の可撓性シートの内部にステップバーを筒軸心方向へ所要間隔毎に設けた伸縮自在な安全シュートと、該安全シュートを収納するため点検口の天井裏側に設けられた収納箱と、前記安全シュートを天井裏に巻き上げる巻取り装置と、該巻取り装置を駆動・停止させる信号を有線若しくは無線で伝達する室内側に設けられたスイッチと、を設けて成ることである。また、前記安全シュートの下部には重石兼用の蓋部材が設けられ、且つ、下部の側面に出入り口が設けられていることを含むものである。
【０００８】
本発明に係る安全タラップ付点検口によれば、開口部から床に吊り降ろされた梯子により作業者が天井裏に昇降できるようになり、不安定な脚立を利用する必要がない。また、不使用時には、開口部が蓋部材で蓋されて天井裏に収容される。
【０００９】
更に、筒状の安全シュータで昇降するようにすることで、作業者の恐怖感を和らげる。更に、可撓性シートの内部に、間隔をおいて、ステップバーを配設する際に、左右一対で設けると、安全シュートの揺れが少なくなって、昇降しやすくなる。安全シュートの下部に出入り口と蓋部材とがあり、シュートの揺れを防ぎながら、安全に作業者が降りることができる。蓋部材が、梯子若しくは安全シュートを天井裏に収納された後には、開口部若しくは点検口が閉蓋されるので、天井の見栄えを損なうことがない。
【００１０】
【発明の実施の形態】
次に、本発明に係る安全タラップ付点検口１について、図面を参照して説明する。なお、発明の理解を容易にするため、従来例に対応する部分には従来例と同一の符号を付けて説明する。
【００１１】
図１乃至図２に示すように、第１実施例における安全タラップ付点検口１は、天井裏１２に出入りするための点検口１３において、前記天井裏１２でスラブ１７から支持部材１８で支持された回転自在な梯子用ドラム２に巻き取られる梯子３がある。
【００１２】
前記梯子３は、ステンレスワイヤー３ａ間にアルミニウム製の足掛板３ｂが適宜間隔で設けられており、一番下の下端部には、重石兼用の蓋部材３ｃが設けられている。
【００１３】
前記梯子３を天井裏１２から室内４に降下させるための開口部５がある。この開口部５には、形状と大きさがほぼ同じの前記蓋部材３ｃが嵌合し、閉蓋するようになっている。
【００１４】
更に、前記梯子用ドラム２を回動させるもので、該梯子用ドラム２と室内４に配設された巻上げドラム６とに亘って配設され、その端部が繋着された索条７でなる巻上げ手段である巻上げ装置８がある。
【００１５】
前記索条７は、例えば、スチールワイヤーでなり、前記梯子用ドラム２の軸部に端部が繋着されており、途中には、スラブ・壁から突設させた支持アーム９に回転自在なプーリ１０が設けられて方向を転換されている。また、前記巻上げドラム６は壁からの支持アーム９ａで回転自在に支持され、回転用のハンドル６ａがある。
【００１６】
前記開口部５の天井裏１２側における周囲には、安全用の手摺柵５ａが設けられている。このような安全タラップ付点検口１による使用方法を説明する。作業者１５は、ハンドル６ａを把持して、ドラムロックピン等を解除して、巻上げドラム６を巻き上げ方向と逆方向に回転させる。
【００１７】
索条７が巻上げドラム６から繰り出されて、梯子用ドラム２を繰り出し方向に回転させ、開口部５から蓋部材３ｃが抜け出して下降する。床面１６に蓋部材３ｃが当接した状態になったら、ハンドル６ａ若しくは巻上げドラム６をロックする。
【００１８】
前記梯子３を利用して作業者１５が登り、点検口蓋１３ａを開けて、開口部１３を開口させて、手摺柵５ａに捕まりながら天井裏１２に入る。作業終了後は、再び梯子３に移り、点検口蓋１３ａで開口部１３を閉蓋して床面１６に降りる。重石兼用の蓋部材３ｃがあるので、降りる途中において、梯子３の揺れが少なく、降りやすくなっている。
【００１９】
第２実施例の安全タラップ付点検口１ａは、図３に示すように、筒状（例えば、直径約７００〜８００ｍｍ程度）の可撓性シート２０を、天井１１から床面１６に亘って伸長させて安全タラップを設けるものである。
【００２０】
前記可撓性シート２０には、図３及び図４に示すように、その内部に合成樹脂製のステップバー２１を筒軸心方向へ、作業員１５が脚を掛けることに適当な所要間隔（例えば、３００ｍｍ）毎に設ける。また、前記シート２０は乳白色で不透明・半透明となっていて、周囲の床面が直接見えないようにして、作業者１５の恐怖心を取り除くようにしてある。こうして、伸縮自在な安全シュート２２を形成する。
【００２１】
前記安全シュート２２を収納するため点検口１３の天井裏１２側に収納箱２３を設ける。なお、作業員１５が出入りするために、この収納箱２３の上面には開口部が設けられている。
【００２２】
更に、図３及び図５（Ａ）に示すように、前記安全シュート２２を天井裏１１に巻き上げる巻取り装置２４がある。巻き上げ駆動用のモータ２５と、該モータ２５の駆動軸に取り付けられた一対のプーリ２６ａによって回転駆動される巻取りリングと、該巻取りリング２６に一端を繋着された一対のステンレスワイヤー２７と、から成り、該一対のステンレスワイヤー２７の他端は、安全シュート２２の下端部の蓋部材２２ａに繋着されている。
【００２３】
前記モータ２５には、駆動用電源のほかに、回転駆動・回転停止させるスイッチ手段が設けられている。その一例として、信号を有線で伝達するための電気配線がなされ、コード２８が室内４にまで延設されている。そして、コード２８の端部にスイッチ２９が設けられている。勿論、リモートコントロールによるスイッチのＯＮ／ＯＦＦが可能であり、室内４側に、リモコン受光センサー部（図示せず）を設けるようにしても良い。
【００２４】
前記安全シュート２２の下部には重石兼用の蓋部材２２ａが設けられ、且つ、下部の側面に出入り口２２ｂが設けられている。前記蓋部材２２ａは、安全シュート２２が収納された際に天井１１の開口部１３の蓋をするものであり、更に、ある程度の重量に設定することで、室内４側に吊り降ろした状態での安全シュート２２が揺れないようにする重石となっている。また、前記出入り口２２ｂは、例えば、ジッパー式により作業者１５用に開閉するものである。
【００２５】
このような第２実施例の安全タラップ付点検口１ａによる使用方法について説明する。図５（Ｂ）に示すように、収納箱２３に安全シュート２２が収納された状態である。作業員１５が、天井裏の点検作業するときは、図３に示すように、スイッチ２９によって、巻取り装置２４のモータ２５を吊り降ろし方向に回転させる。
【００２６】
これにより、プーリ２６ａが回転して巻取りリング２６から、ステンレスワイヤー２７が床面１６へと繰り出される。よって、蓋部材２２ａの重さにより安全シュート２２が下降する。安全シュート２２を伸長させ完了した後に、出入り口２２ｂのジッパーを開けて、作業者１５がステップバー２１により天井裏１２に登り、作業をする。可撓性シート２０は乳白色をしていて周囲や下が見えないので、高さの恐怖感は作業者１５に感じさせない。また、蓋部材２２ａの重量により、可撓性シート２０が揺れないように鉛直方向に引っ張られており、登りやすいものである。
【００２７】
前記作業の終了後に、前記安全シュート２２で作業者１５がステップバー２１に脚をかけて天井１１から降りて、出入り口２２ｂから出てジッパーを閉める。その後、スイッチ２９により、モータ２５を巻き上げ方向に回転させる。
【００２８】
図５（Ｃ）に示すように、ステンレスワイヤー２７を巻き上げて、蓋部材２２ａを上昇させる。これにより、可撓性シート２０が、前記上昇する蓋部材２２ａにより連続的に折り畳まれて、天井裏の収納箱２３内に収納される（図５（Ｂ）参照）。また、蓋部材２２ａにより開口部１３が閉蓋される。この状態でスイッチ２９の操作を終了する。こうして、安全シュート２２によって、安全に天井裏の点検作業が行われるものである。
【００２９】
【発明の効果】
上記説明したように、本発明に係る安全タラップ付点検口は、天井裏に出入りするための点検口において、前記天井裏に設けられた回転自在な梯子用ドラムに巻き取られる梯子と、該梯子を天井裏から室内に降下させるための開口部と、前記梯子用ドラムを回動させるもので、該梯子用ドラムと室内に配設された巻上げドラムとに亘って配設されその端部が繋着された索条でなる巻上げ手段とを設けることにより、安全に点検作業ができるようになる。また、前記梯子の下端部には、開口部を閉蓋する重石兼用の蓋部材が取り付けられているので、上り下りが容易になる。
【００３０】
本発明の安全タラップ付点検口は、筒状の可撓性シートの内部にステップバーを筒軸心方向へ所要間隔毎に設けた伸縮自在な安全シュートと、該安全シュートを収納するため点検口の天井裏側に設けられた収納箱と、前記安全シュートを天井裏に巻き上げる巻取り装置と、該巻取り装置を駆動・停止させる信号を有線若しくは無線で伝達する室内側に設けられたスイッチとを設けて成るので、更に安全に天井裏へ上り下りすることができる。安全シュートの下部には重石兼用の蓋部材が設けられ、且つ、下部の側面に出入り口が設けられているので、シートの揺れが防止され、開口部用の蓋を揺れ防止用の重石として兼用させることができるものである。
【図面の簡単な説明】
【図１】第１実施例に係る安全タラップ付点検口１の概略全体を示す正面図である。
【図２】同第１実施例に係る安全タラップ付点検口１の一部拡大斜視図である。
【図３】同第２実施例に係る安全タラップ付点検口１ａの概略全体を示す正面図である。
【図４】同第２実施例に係る安全タラップ付点検口１ａにおける、安全シュート２２の平面図である。
【図５】同第２実施例に係る安全タラップ付点検口１ａの平面図（Ａ）、収納状態の正面図（Ｂ）、安全シュート２２を巻き上げる様子を示す説明図（Ｃ）である。
【図６】従来例に係る点検作業の様子を示す説明図である。
【符号の説明】
１，１ａ      安全タラップ付点検口、  ２      梯子用ドラム、
３            梯子、                  ３ａ    ステンレスワイヤー、
３ｂ          足掛板、                ３ｃ    蓋部材、
４            室内、                  ５      開口部、
５ａ          手摺柵、                ６      巻上げドラム、
６ａ          ハンドル、              ７      索条、
８            巻上げ装置、
９，９ａ      支持アーム、
１０          プーリ、                １１    天井、
１２          天井裏、                １３    点検口、
１３ａ        点検口蓋、              １４    脚立、
１５          作業者、                １６    床面、
１７          スラブ、                １８    支持部材、
２０          可撓性シート、          ２１    ステップバー、
２２          安全シュート、          ２２ａ  蓋部材、
２３          収納箱、                ２４    巻取り装置、
２５          モータ、                ２６    巻取りリング、
２６ａ        プーリ、                ２７    ステンレスワイヤー、
２８          コード、                ２９    スイッチ。
【図１】
2004197513.tif 000003
【図２】
2004197513.tif 000004
【図３】
2004197513.tif 000005
【図４】
2004197513.tif 000006
【図５】
2004197513.tif 000007
【図６】
2004197513.tif 000008